(57)【要約】【課題】選択したい操作や処理に対応するキーの位置を容易に把握することが困難であった。【解決手段】複数の処理を実行可能な処理ユニットと、前記複数の処理を選択するための複数の選択部と、各選択用表示部が前記複数の選択部の一つに対応して設けられた複数の選択用表示部とを有する選択ユニットと、前記複数の選択部の各々に、前記複数の処理のうちの一つの処理を選択による実行のために割り当て、前記複数の選択用表示部の各々に、各選択用画像が前記複数の処理のうちの一つを表す複数の選択用画像のうち、当該選択用表示部に対応する選択部に割り当てられた前記一つの処理を表す選択用画像を表示させる制御ユニットと、を含む。【選択図】図１
2007287013.tif 000002
【特許請求の範囲】
【請求項１】
複数の処理を実行可能な処理ユニットと、
前記複数の処理を選択するための複数の選択部と、各選択用表示部が前記複数の選択部の一つに対応して設けられた複数の選択用表示部とを有する選択ユニットと、
前記複数の選択部の各々に、前記複数の処理のうちの一つの処理を選択による実行のために割り当て、前記複数の選択用表示部の各々に、各選択用画像が前記複数の処理のうちの一つを表す複数の選択用画像のうち、当該選択用表示部に対応する選択部に割り当てられた前記一つの処理を表す選択用画像を表示させる制御ユニットと、を含むことを特徴とする入力表示装置。
【請求項２】
前記複数の処理を表示可能な表示ユニットを更に含み、
前記制御ユニットは、前記表示ユニットに、各表示用画像が前記複数の処理のうちの一つを表す複数の表示用画像を表示させることを特徴とする請求項１記載の入力表示装置。
【請求項３】
前記制御ユニットは、前記一つの処理が仮選択されたとき、前記表示ユニットに、前記一つの処理の内容を表示させることを特徴とする請求項２記載の入力表示装置。
【発明の詳細な説明】
【技術分野】
【０００１】
本発明は、携帯電話等の電子機器が有するキー入力の機能及び当該キー入力のための表示の機能を備えた入力表示装置に関する。
【背景技術】
【０００２】
下記の特許文献１に記載された従来の入力表示装置では、ユーザが所定のラベル・キーを押すと、グラフィカルオブジェクト（画面上の操作対象）上に英数字が表示され、ユーザが所望のオブジェクトに対応する英数字のキーを押すと、当該英数字に関連付けられている操作が起動する。また、下記の特許文献２に記載された従来の入力表示装置では、実行プログラムが切り替わる度に変更される、キーと当該キーに対応付けられた処理内容との関係をキーボードに表示する。さらに、下記の特許文献３に記載された従来の入力表示装置では、シート状表示媒体がキーボードの表面に被されており、表示内容の変更を可能にする。
【０００３】
【特許文献１】特開平１１−３２００号公報
【特許文献２】特開平５−２１６５７４号公報
【特許文献３】特開２００４−１４５６４８号公報
【発明の開示】
【発明が解決しようとする課題】
【０００４】
しかしながら、上記した３つの従来の入力表示装置では、画面に複数の操作や処理が表示されることから、選択可能な操作や処理を容易に知得することができるものの、選択したい操作や処理に対応するキーの位置を容易に把握することが困難であるという問題があった。
【課題を解決するための手段】
【０００５】
本発明に係る入力表示装置は、上記した課題を解決すべく、（１）複数の処理を実行可能な処理ユニットと、（２）前記複数の処理を選択するための複数の選択部と、各選択用表示部が前記複数の選択部の一つに対応して設けられた複数の選択用表示部とを有する選択ユニットと、（３）前記複数の選択部の各々に、前記複数の処理のうちの一つの処理を選択による実行のために割り当て、前記複数の選択用表示部の各々に、各選択用画像が前記複数の処理のうちの一つを表す複数の選択用画像のうち、当該選択用表示部に対応する選択部に割り当てられた前記一つの処理を表す選択用画像を表示させる制御ユニットと、を含む。
【０００６】
上記した本発明に係る入力表示装置によれば、前記制御ユニットが、前記選択ユニットの各選択部に、前記一つの処理を割り当て、かつ、当該選択部に対応する前記選択用表示部に、前記一つの処理を表す前記選択用画像を表示させることから、当該入力表示装置のユーザは、前記選択用画像を視認することにより、選択したい処理に対応する選択部の位置を容易に把握することが可能となる。
【０００７】
上記した本発明に係る入力表示装置は、前記複数の処理を表示可能な表示ユニットを更に含み、前記制御ユニットは、前記表示ユニットに、各表示用画像が前記複数の処理のうちの一つを表す複数の表示用画像を表示させる。
【０００８】
上記した本発明に係る入力表示装置では、前記制御ユニットは、前記一つの処理が仮選択されたとき、前記表示ユニットに、前記一つの処理の内容を表示させる。
【発明を実施するための最良の形態】
【０００９】
本発明に係る入力表示装置の実施例について図面を参照して説明する。
【００１０】
《構成》
実施例の入力表示装置ＩＤは、図１に示されるように、表示ユニット１と、選択ユニット２と、制御ユニット３と、処理ユニット４と、記憶ユニット５とを含む。
【００１１】
表示ユニット１は、例えば、液晶又はＣＲＴからなり、図２に示されるように、表示用小領域１０ａ、１０ｂ、．．．と、表示用大領域１１ａ、１１ｂ、．．．と、横長領域１２とを有する。表示ユニット１は、制御ユニット３による制御下で、表示用小領域１０ａ、１０ｂ、．．．、及び、表示用大領域１１ａ、１１ｂ、．．．に、図８及び図９に示されるように、処理ユニット４が処理可能な複数の処理（例えば、メールの送受信、インターネットでのホームページ（ＨＰ）の閲覧、電話等）の内容を象徴する、表示用小画像１３ａ、１３ｂ、．．．、１６ａ、１６ｂ、．．．、及び、表示用大画像１４ａ、１４ｂ、．．．、１７ａ、１７ｂ、．．．、１８ａ、１８ｂ、．．．をそれぞれ表示する。ここで、表示用小画像及び表示用大画像とは、前記複数の処理の内容を概念的に又は感覚的に表すべく略称化又は図案化した文字や記号（例えば、アイコンやシンボルマーク）であり、表示用小画像は、表示用大画像に比して小型化かつ簡易化されている。
【００１２】
表示ユニット１は、図８及び図９に示されるように、横長領域１２に、当該表示ユニット１が全体として示す内容、テーマ、項目等を表す横長画像１５（１）、１５（３）、１５（４）を表示し、また、図８に示されるように、例えば、表示用大画像１４ａ、１４ｂ、．．．のいずれかが仮選択（例えば、いずれかの表示用大画像上にマウスやカーソルを移動すること。）されたとき、当該仮選択された表示用大画像、即ち、仮選択された処理の内容を表す横長画像１５（２）を表示する。
【００１３】
選択ユニット２は、選択部２０と、選択用表示部２１とを有する。選択部２０は、図３に示されるように、例えば、従来知られた携帯電話やパーソナルコンピュータにおけるキーと同様に、前記複数の処理を選択するための複数のキー２０ａ、２０ｂ、．．．、２０ｌからなる。また、選択用表示部２１は、図３に示されるように、前記複数のキー２０ａ、２０ｂ、．．．、２０ｌに１対１に設けられた複数のキー表示部（例えば、液晶表示部材や有機ＥＬ部材から構成される。）２１ａ、２１ｂ、．．．、２１ｌからなり、キー表示部２１ａ、２１ｂ、．．．は、図８及び図９に示されるように、前記表示用大画像１４ａ、１４ｂ、．．．と同様に略称化又は図案化された選択用画像２２ａ、２２ｂ、．．．、２３ａ、２３ｂ、．．．、２４ａ、２４ｂ、．．．を表示する。
【００１４】
例えば、キー２０ｂにキー処理割当部３１（後述）によって予め処理「ネット」が割り当てられていることを想定すると、当該キー２０ｂに対応するキー表示部２１ｂは、前記処理「ネット」を表示し、また、ユーザによって当該キー２０ｂが選択されると、前記処理「ネット」が選択された旨をキー入力受付部３２（後述）に通知する。
【００１５】
制御ユニット３は、例えば、ＣＰＵからなり、図１に示されるように、表示制御部３０と、キー処理割当部３１と、キー入力受付部３２と、キー表示制御部３３とを有する。
【００１６】
表示制御部３０は、図８及び図９に示されるように、表示ユニット１における表示用小領域１０ａ、１０ｂ、．．．と、表示用大領域１１ａ、１１ｂ、．．．と、横長領域１２とに、それぞれ、表示用小画像１３ａ、１３ｂ、．．．と、表示用大画像１４ａ、１４ｂ、．．．と、横長画像１５（１）、１５（２）、．．．とを表示させる。
【００１７】
キー処理割当部３１は、選択部２０の複数のキー２０ａ、２０ｂ、．．．の各々に、前記複数の処理の一つを割り当て、例えば、上記したように、キー２０ｂに処理「ネット」を割り当てる。
【００１８】
キー入力受付部３２は、選択部２０の前記複数のキー２０ａ、２０ｂ、．．．から、前記複数の処理のうちのいずれかが選択された旨の入力を受け付け、例えば、上記したように、選択部２０のキー２０ｂから、当該キー２０ｂに割り当てられた処理「ネット」が選択された旨を受け付ける。
【００１９】
キー表示制御部３３は、キー表示部２１ａ、２１ｂ、．．．に、選択用画像２２ａ、２２ｂ、．．．を表示させる。
【００２０】
処理ユニット４は、例えば、ＣＰＵからなり、上記したような複数の処理を行う。
【００２１】
記憶ユニット５は、例えば、ハードディスク、ＣＤ−ＲＯＭ、フレキシブル・ディスク、ＲＯＭ、ＲＡＭ等からなり、入力表示装置ＩＤの動作全体を制御するプログラムＰＲを含み、更に、当該プログラムＰＲは、図４、図５、図６に示されるように、制御ユニット３による表示ユニット１及び選択ユニット２の表示制御の内容を規定する第１のタスクＴ１、第２のタスクＴ２、第３のタスクＴ３、．．．を有する。
【００２２】
《動作》
実施例の入力表示装置ＩＤの動作を図７に示すフローチャートに沿って説明する。
【００２３】
ステップＳ１０：入力表示装置ＩＤの電源がオフであるとき、表示ユニット１、並びに、選択ユニット２の選択部２０及び選択用表示部２１は、図８に示されるように、（１）第１の状態であり、即ち、表示ユニット１は、何も表示しておらず、また、選択用表示部２１（キー表示部２１ａ、２１ｂ、．．．）もまた、何も表示していない。
【００２４】
ステップＳ２０：ユーザが、入力表示装置ＩＤの電源をオンにすると、制御ユニット３では、「メニュー」を表すべく、記憶ユニット５に記憶された第１のタスクＴ１（図４に図示。００００のアドレスから始まり、”電源をオン”したときに実行すべきタスク。）を実行することにより、図８に示されるように、表示制御部３０は、表示ユニット１上の表示用小領域１０ａ、１０ｂ、．．．と、表示用大領域１１ａ、１１ｂ、．．．とに、それぞれ、「メール」、「ネット」、「電話」、「音楽」等の表示用小画像１３ａ、１３ｂ、．．．と、表示用大画像１４ａ、１４ｂ、．．．とを表示させ、かつ、横長領域１２に、「メニュー」の横長画像１５（１）を表示させ、キー処理割当部３１は、選択部２０のキー２０ａ、２０ｂ、．．．に、「メール」、「ネット」、「電話」、「音楽」等の処理を割り当て、キー表示制御部３３は、選択用表示部２１のキー表示部２１ａ、２１ｂ、．．．に、「メール」、「ネット」、「電話」、「音楽」等の選択用画像２２ａ、２２ｂ、．．．を表示させることにより、（２）第２の状態に遷移する。
【００２５】
この段階で、もし、ユーザが、表示ユニット１上で、例えば、処理「ネット」の表示用大画像１４ｂを仮選択すると、表示制御部３０は、第１のタスクＴ１中の「表示用大画像１４ｂが仮選択されたとき、横長領域１２に『インターネットでホームページを閲覧』を表示」の命令に従って、表示ユニット１上の横長領域１２に、処理「ネット」の内容である「インターネットでホームページの閲覧」の横長画像１５（２）を表示することにより、一時的に、（３）第３の状態に遷移する。
【００２６】
ステップＳ３０：ユーザが、表示ユニット１上で表示用小画像１３ａ、１３ｂ、．．．、又は、表示用大画像１４ａ、１４ｂ、．．．を見ながら、「音楽」を楽しみたいと考え、選択部２０のキー２０ａ、２０ｂ、．．．のうち、「音楽」の表示がされているキー２０ｄを押すと、選択部２０は、キー２０ｄが押された旨、即ち、処理「音楽」が選択された旨をキー入力受付部３２に通知する。
【００２７】
キー入力受付部３２が、前記の旨を受け付けると、制御ユニット３では、処理「音楽」について選択可能な処理を表すべく、第２のタスクＴ２（図５に図示。００４０のアドレスから始まり、”音楽”が選択されたときに実行すべきタスク。）に従って、表示制御部３０は、図９に示されるように、表示ユニット１の表示用小領域１０ａ、１０ｂ、．．．と、表示用大領域１１ａ、１１ｂ、．．．とに、「曲１」、「曲２」、．．．、「曲５」を示す表示用小画像１６ａ、１６ｂ、．．．と、表示用大画像１７ａ、１７ｂ、．．．とを表示させ、かつ、横長領域１２に、処理「音楽」の横長画像１５（３）を表示させ、キー処理割当部３１は、選択用表示部２１のキー２０ａ、２０ｂ、．．．に、「曲１」、「曲２」、．．．、「曲５」の処理を割り当て、キー表示制御部３３は、選択部２０のキー表示部２１ａ、２１ｂ、．．．に、「曲１」、「曲２」、．．．、「曲５」を示す選択用画像２３ａ、２３ｂ、．．．を表示させることにより、（４）第４の状態に遷移する。
【００２８】
ステップＳ４０：ユーザが、表示ユニット１上で、表示用小画像１６ａ、１６ｂ、．．．又は表示用大画像１７ａ、１７ｂ、．．．を見ながら、「曲３」を聴きたいと考え、選択部２０のキー２０ａ、２０ｂ、．．．のうち、「曲３」の表示がされているキー２０ｃを押すと、選択部２０は、キー２０ｃが押された旨、即ち、処理「曲３」が選択された旨をキー入力受付部３２に通知する。キー入力受付部３２が、前記の旨を受け付けると、制御ユニット３では、処理「曲３」に関し選択可能な処理を表すべく、第３のタスクＴ３（図６に図示。０１３０のアドレスから始まり、”曲３”が選択されたときに実行すべきタスク。）に従って、表示制御部３０は、図９に示されるように、表示ユニット１の表示用大領域１１ａ、１１ｂ、．．．に、「再生」、「停止」、「一時停止」等を示す表示用大画像１８ａ、１８ｂ、．．．を表示させ、かつ、横長領域１２に、処理「曲３」の横長画像１５（４）を表示させ、キー処理割当部３１は、選択部２０のキー２０ａ、２０ｂ、．．．に、「再生」、「停止」、「一時停止」等の処理を割り当て、キー表示制御部３３は、選択用表示部２１のキー表示部２１ｄ、２１ｅ、．．．に、「再生」、「停止」、「一時停止」等を示す選択用画像２４ａ、２４ｂ、．．．を表示させることにより、（５）第５の状態に遷移する。
【００２９】
《効果》
上述したように、実施例の入力表示装置ＩＤでは、例えば、図８中の（２）第２の状態に示されるように、「メニュー」に関し、表示制御部３０が、表示ユニット１の表示用小領域１０ａ、１０ｂ、．．．に、「メニュー」について選択可能な処理「メール」、「ネット」、「電話」、．．．を示す表示用小画像１３ａ、１３ｂ、．．．を表示させ、また、表示用大領域１１ａ、１１ｂ、．．．に、処理「メール」、「ネット」、「電話」、．．．を示す選択用画像２２ａ、２２ｂ、．．．を表示させ、さらに、処理「メール」、「ネット」、「電話」、．．．が割り当てられたキー２０ａ、２０ｂ、．．．に対応するキー表示部２１ａ、２１ｂ、．．．に、処理「メール」、「ネット」、「電話」、．．．を示す選択用画像２２ａ、２２ｂ、．．．を表示させることから、ユーザは、処理「メール」、「ネット」、「電話」、．．．に対応するキー２０ａ、２０ｂ、．．．の位置を容易に把握することができる。
【図面の簡単な説明】
【００３０】
【図１】実施例の入力表示装置の構成を示す図。
【図２】表示ユニットの表示用小領域、表示用大領域、横長領域を示す図。
【図３】選択ユニットのキー、キー表示部を示す図。
【図４】第１のタスクの構成を示す図。
【図５】第２のタスクの構成を示す図。
【図６】第３のタスクの構成を示す図。
【図７】実施例の入力表示装置の動作を示すフローチャート。
【図８】表示ユニット及び選択ユニットの状態の遷移を示す図（その１）。
【図９】表示ユニット及び選択ユニットの状態の遷移を示す図（その２）。
【符号の説明】
【００３１】
ＩＤ…入力表示装置、１…表示ユニット、２…選択ユニット、３…制御ユニット、４…処理ユニット、５…記憶ユニット。
【図１】
2007287013.tif 000003
【図２】
2007287013.tif 000004
【図３】
2007287013.tif 000005
【図４】
2007287013.tif 000006
【図５】
2007287013.tif 000007
【図６】
2007287013.tif 000008
【図７】
2007287013.tif 000009
【図８】
2007287013.tif 000010
【図９】
2007287013.tif 000011